(57)【特許請求の範囲】
【請求項１】
試料ガス中に含まれるガス状水銀又はスチビンをリアルタイム測定するためのガス状水銀又はスチビンの測定方法であって、
上記試料ガスから粒子を除去する工程と、
上記除去工程後における試料ガスへの反応ガスの供給により上記ガス状水銀又はスチビンの固体状化合物を生成する工程と、
上記試料ガスへの凝集用ガスの供給により上記化合物を含有する凝集物を生成する工程と、
上記凝集物生成工程後における試料ガスの気体成分を置換ガスに置換する工程と、
上記置換工程後に上記凝集物を分析する工程と
を備え、
上記反応ガスがオゾンであり、上記凝集用ガスがアンモニアであるガス状水銀又はスチビンの測定方法。
【請求項２】
上記分析工程の測定値を測定対象物を含まないブランクガスの測定値に基づいて補正する補正工程をさらに備える請求項１に記載のガス状水銀又はスチビンの測定方法。
【請求項３】
試料ガス中に含まれるガス状水銀又はスチビンをリアルタイム測定するためのガス状水銀又はスチビンの測定装置であって、
上記試料ガスから粒子を除去するフィルターと、
上記フィルターの下流側に設けられ、上記試料ガスが流動する流路と、
上記ガス状水銀又はスチビンを固体状化合物にする反応ガスを上記流路に供給するための反応ガス供給路と、
上記化合物を含有する凝集物を生成可能な凝集用ガスを上記流路に供給するための凝集用ガス供給路と、
上記流路の下流側に設けられ、上記凝集物を含む試料ガスの気体成分を置換ガスに置換するガス置換装置と、
上記ガス置換装置の下流側に設けられ、上記凝集物を分析する分析装置と
を備え、
上記反応ガスがオゾンであり、上記凝集用ガスがアンモニアであるガス状水銀又はスチビンの測定装置。
【発明の詳細な説明】
【技術分野】
【０００１】
本発明は、ガス状水銀又はスチビンの測定方法及び測定装置に関する。
【背景技術】
【０００２】
健康や環境に悪影響を及ぼすおそれを抑制すべく水銀やスチビン等の正確な濃度を測定することが求められる場合がある。
【０００３】
水銀又はスチビンの濃度を測定する方法としては、バッチ式による測定方法が採用されており、例えば水銀の濃度を測定する方法としては、金アマルガム捕集加熱気化冷原子吸光法が採用されている（特許第３５６８９４６号公報参照）。
【０００４】
この金アマルガム捕集加熱気化冷原子吸光法は、金を含む吸着剤にガスを接触させてガス中の水銀を吸着剤に吸着させた後、この吸着剤を加熱してガス状水銀を原子吸光検出器に導入し、気体中の金属水銀の量を測定するものである。
【０００５】
しかしながら、この金アマルガム捕集加熱気化冷原子吸光法は、上述のようにバッチ式であるため、水銀の濃度をリアルタイムで測定することはできない。
【０００６】
また、この金アマルガム捕集加熱気化冷原子吸光法は、水銀の濃度を測定するためには十分な量の水銀を吸着剤に吸着させる必要があるため水銀の捕集に１時間程度を要することがあることに加え、この水銀の捕集効率を別途測定しておく必要がある。さらに、この金アマルガム捕集加熱気化冷原子吸光法は、水銀を吸着させた吸着剤を再度加熱して水銀を気化させて原子吸光検出器に導く必要がある。そのため、この金アマルガム捕集加熱気化冷原子吸光法は、水銀の濃度の測定までに必要とされる手続及び時間が大きいという不都合を有する。
【先行技術文献】
【特許文献】
【０００７】
【特許文献１】特許第３５６８９４６号公報
【発明の概要】
【発明が解決しようとする課題】
【０００８】
本発明はこのような事情に鑑みてなされたものであり、ガス状水銀又はスチビンをリアルタイムで容易かつ確実に測定することができるガス状水銀又はスチビンの測定方法及び測定装置を提供することを目的とする。
【課題を解決するための手段】
【０００９】
上記課題を解決するためになされた本発明に係るガス状水銀又はスチビンの測定方法は、試料ガス中に含まれるガス状水銀又はスチビンをリアルタイム測定するためのガス状水銀又はスチビンの測定方法であって、上記試料ガスから粒子を除去する工程と、上記除去工程後における試料ガスへの反応ガスの供給により上記ガス状水銀又はスチビンの固体状化合物を生成する工程と、上記試料ガスへの凝集用ガスの供給により上記化合物を含有する凝集物を生成する工程と、上記凝集物生成工程後における試料ガスの気体成分を置換ガスに置換する工程と、上記置換工程後に上記凝集物を分析する工程とを備える。
【００１０】
当該ガス状水銀又はスチビンの測定方法は、上記除去工程によって試料ガスから粒子を除去するので、ガス状の測定対象物のみを容易かつ確実に測定することができる。当該ガス状水銀又はスチビンの測定方法は、測定対象物の凝集物を生成し、試料ガスの気体成分を置換ガスに置換した後、この凝集物を分析することで測定対象物をリアルタイムに（つまり継時的に）測定することができる。当該ガス状水銀又はスチビンの測定方法は、測定対象物を吸着剤等に吸着させる必要がないので、測定までの手続及び時間を短くすることができると共に、別途捕集効率等を測定する必要もないので、容易かつ確実に測定対象物を測定することができる。
【００１１】
上記凝集用ガスとして、上記反応ガスと反応することで凝集用粒子を生成可能なガスを用いるとよい。このように、上記凝集用ガスとして、上記反応ガスと反応することで凝集用粒子を生成可能なガスを用いることによって、反応ガスと凝集用ガスとが反応して生成される凝集用粒子により上記化合物を凝集物に凝集させることができる。そのため、凝集用ガスと反応して凝集用粒子を生成するための他のガス等を用いる必要がなく、比較的簡単な構成でガス状の測定対象物を凝集物とすることができる。
【００１２】
上記反応ガスがオゾンであり、上記凝集用ガスがアンモニアであるとよい。このように、上記反応ガスがオゾンであり、上記凝集用ガスがアンモニアであることによって、ガス状の測定対象物をオゾンによって酸化して固体状化合物とすることができる。また、オゾンとアンモニアとが反応することによって、凝集用粒子を生成することができる。そして、上述のように測定対象物が酸化して形成された化合物と凝集用粒子とが凝集して凝集物が生成され、この凝集物を測定することで、測定対象物をより的確に測定することができる。
【００１３】
当該ガス状水銀又はスチビンの測定方法は、上記分析工程の測定値を測定対象物を含まないブランクガスの測定値に基づいて補正する補正工程をさらに備えるとよい。このように、上記分析工程の測定値を測定対象物を含まないブランクガスの測定値に基づいて補正する補正工程をさらに備えることによって、測定対象物の測定精度をさらに高めることができる。
【００１４】
上記課題を解決するためになされた本発明に係るガス状水銀又はスチビンの測定装置は、試料ガス中に含まれるガス状水銀又はスチビンをリアルタイム測定するためのガス状水銀又はスチビンの測定装置であって、上記試料ガスから粒子を除去するフィルターと、上記フィルターの下流側に設けられ、上記試料ガスが流動する流路と、上記ガス状水銀又はスチビンを固体状化合物にする反応ガスを上記流路に供給するための反応ガス供給路と、上記化合物を含有する凝集物を生成可能な凝集用ガスを上記流路に供給するための凝集用ガス供給路と、上記流路の下流側に設けられ、上記凝集物を含む試料ガスの気体成分を置換ガスに置換するガス置換装置と、上記ガス置換装置の下流側に設けられ、上記凝集物を分析する分析装置とを備える。
【００１５】
当該ガス状水銀又はスチビンの測定装置は、試料ガスを上記フィルターに通すことでこの試料ガスから粒子を除去することができるので、ガス状の測定対象物のみを容易かつ確実に測定することができる。当該ガス状水銀又はスチビンの測定装置は、測定対象物の凝集物を生成し、試料ガスの気体成分を置換ガスに置換した後、この凝集物を分析することで測定対象物をリアルタイムに（つまり継時的に）測定することができる。当該ガス状水銀又はスチビンの測定装置は、測定対象物を吸着剤等に吸着させる必要がないので、上述のように容易かつ確実に測定対象物を測定することができる。
【発明の効果】
【００１６】
以上説明したように、本発明のガス状水銀又はスチビンの測定方法及び測定装置は、ガス状水銀又はスチビンをリアルタイムで容易かつ確実に測定することができる。
【図面の簡単な説明】
【００１７】
【図１】本発明の一実施形態に係るガス状水銀又はスチビンの測定装置を示すブロック図である。
【図２】図１のガス状水銀又はスチビンの測定装置の凝集物生成装置を示す模式図である。
【図３】本発明の一実施形態に係るガス状水銀又はスチビンの測定方法を示すフロー図である。
【図４】図３のガス状水銀又はスチビンの測定方法の凝集物生成工程を示すフロー図である。
【図５】図３のガス状水銀又はスチビンの測定方法とは異なる形態に係るガス状水銀又はスチビンの測定方法を示すフロー図である。
【図６】実施例におけるスチビンに由来するアンチモン（質量数１２１）の濃度を示すグラフである。
【図７】実施例におけるスチビンに由来するアンチモン（質量数１２３）の濃度を示すグラフである。
【図８】実施例におけるガス状水銀の濃度を示すグラフである。
【発明を実施するための形態】
【００１８】
以下、適宜図面を参照しつつ、本発明の実施の形態を詳説する。
【００１９】
［第一実施形態］
＜ガス状水銀又はスチビンの測定装置＞
図１のガス状水銀又はスチビンの測定装置（以下、単に「測定装置」ともいう）は、試料ガス中に含まれるガス状水銀又はスチビン（以下、「測定対象物」ともいう）をリアルタイム測定する装置である。当該測定装置は、フィルター１、凝集物生成装置２、ガス置換装置３及び分析装置４を備え、これらがこの順で上流側から下流側に連続して配設されている。また、当該測定装置は、フィルター１の上流側にポンプ５が配設されている。当該測定装置は、外部との気密性を保持できるよう構成されている。当該測定装置で測定可能な測定事項としては、例えばガス状水銀又はアンチモンの濃度、同位体比等が挙げられる。具体的には、当該測定装置は、ガス状水銀及びアンチモンに関する成分に由来する信号（分析装置４に質量分析装置、例えば高周波誘導結合プラズマ質量分析装置を採用した場合は、水銀およびアンチモンの全ての同位体の信号）を得ることができ、この信号情報に基づいてガス状水銀及びアンチモンの濃度及び同位体比を測定することができる。
【００２０】
（試料ガス）
試料ガスとしては、特に限定されるものではないが、例えば空気が用いられる。つまり、当該測定装置は、空気中に含まれるガス状水銀又はスチビンをリアルタイム測定可能な装置として構成されている。
【００２１】
（ポンプ）
ポンプ５は、試料ガスをフィルター１を通過させた上、凝集物生成装置２に導入させる機能を有する。ポンプ５の種類としては、特に限定されるものではないが、例えばダイアフラムポンプが挙げられる。なお、本実施形態ではポンプ５はフィルター１の上流側に設けられているが、ポンプ５はフィルター１と凝集物生成装置２との間に設けられていてもよい。
【００２２】
（フィルター）
フィルター１は、試料ガスから粒子を除去する。フィルター１は着脱可能に設けられている。当該測定装置は、フィルター１によって試料ガス中に含まれる粒子を除去することで、異物が凝集物生成装置２側に通過することを防止して試料ガス中に含まれるガス状水銀又はスチビンの濃度等を的確に測定することができる。また、空気中にはガス状水銀と共に粒子状水銀が存在しているが、今日ではこれらを別個に測定したいとの要求が高まっており、中でも空気中に含まれる水銀の大部分を占めるガス状水銀のみを測定したいとの要求が高まっている。この点に関し、当該測定装置は、試料ガスとして空気を用い、この空気をフィルター１に通して粒子状水銀を除去することによって、空気中に含まれるガス状水銀のみを測定することができる。さらに、当該測定装置は、例えばフィルター１を取り外し、かつ凝集物生成装置２の機能を停止した状態で試料ガスを装置内に導入することで、粒子状水銀のみを測定することも可能である。つまり、当該測定装置は、フィルター１が着脱可能に設けられることによって、ガス状水銀及び粒子状水銀を選択的に測定することができる。フィルター１としては、例えば試料ガス中に含まれる粒子状水銀を除去できる公知のフィルターを用いることができる。
【００２３】
（凝集物生成装置）
凝集物生成装置２は、凝集物を生成する装置であり、図２に示すように、流路１１と、反応ガス供給路１２と、凝集用ガス供給路１３と、反応器１４とを主として有する。
【００２４】
流路１１は、フィルター１の下流側に設けられる導管によって形成されている。流路１１の上流側の端部はフィルター１と接続され、下流側の端部は反応器１４に接続されている。流路１１は、試料ガスが流動可能に構成されている。流路１１を形成する導管の形成材料としては、種々のものが採用可能であり、例えばガラス管、テフロン（登録商標）等が用いられる。
【００２５】
反応ガス供給路１２は、流路１１に接続される導管によって形成されている。反応ガス供給路１２は、ガス状水銀又はスチビンを固体状化合物にする反応ガスを流路１１に供給可能に構成されている。反応ガス供給路１２は、上述のように一端が流路１１に接続される一方、他端が反応ガス供給装置１５に接続されている。これにより、反応ガス供給路１２は、反応ガス供給装置１５から反応ガスを流路１１に供給することができる。また、反応ガス供給路１２には、反応ガスの流量を測定する流量計１６ａが配設されている。この流量計１６ａは、反応ガスの流量を調整可能に構成されてもよい。上記反応ガスとしては、例えばオゾンが用いられる。なお、反応ガス供給路１２を形成する導管の形成材料としては、特に限定されないが、例えば流路１１を形成する導管と同様の材料が用いられる。
【００２６】
反応ガス供給装置１５としては、反応ガスを貯留する例えばガスボンベ等の反応ガス貯留装置を採用可能である。また、反応ガス供給装置１５としては、反応ガスを発生する反応ガス発生装置から構成することも可能であり、例えば酸素と低圧水銀ランプとを用いてオゾンを発生させるオゾン発生装置から構成することも可能である。反応ガス供給装置１５は、反応ガスの供給量を調節可能に構成されていてもよい。
【００２７】
凝集用ガス供給路１３は、流路１１に接続される導管によって形成されている。凝集用ガス供給路１３は、上記化合物（固体状化合物）を含有する凝集物を生成可能な凝集用ガスを流路１１に供給可能に構成されている。凝集用ガス供給路１３は、一端が反応ガス供給路１２よりも下流側で流路１１に接続される一方、他端が凝集用ガス供給装置１７に接続されている。これにより、凝集用ガス供給路１３は、凝集用ガス供給装置１７から凝集用ガスを流路１１に供給することができる。また、凝集用ガス供給路１３には、凝集用ガスの流量を測定する流量計１６ｂが配設されている。この流量計１６ｂは、凝集用ガスの流量を調整可能に構成されてもよい。上記凝集用ガスとしては、上記反応ガスと反応することで凝集用粒子を生成可能なガスを用いることができ、このようなガスとして、例えばアンモニアが用いられる。凝集用ガス供給路１３を形成する導管の形成材料としては、特に限定されないが、例えば流路１１を形成する導管と同様の材料が用いられる。
【００２８】
凝集用ガス供給装置１７としては、凝集用ガスを貯留する例えばガスボンベ等の凝集用ガス貯留装置を採用可能である。また、凝集用ガス供給装置１７としては、凝集用ガスを発生する凝集用ガス発生装置から構成することも可能である。凝集用ガス供給装置１７は、凝集用ガスの供給量を調節可能に構成されていてもよい。
【００２９】
反応器１４は、試料ガス中の測定対象物、反応ガス及び凝集用ガスを反応させる筒体である。反応器１４は、反応ガス供給路１２及び凝集用ガス供給路１３の下流側に配設されている。具体的には、反応器１４の上流側の端部は上述のように流路１１に接続されており、反応器１４の下流側の端部はガス置換装置３に接続されている。反応器１４は、内部の温度を上昇可能な加熱手段、内部の湿度を上昇可能な加湿手段、紫外線照射手段等を有するものを採用可能である。また、反応器１４の形成材料としては、特に限定されないが、流路１１を形成する導管と同様の材料が用いられる。反応器１４の内部の形状としては、特に限定されないが、例えば円柱状又は多角柱状とすることができる。反応器１４の平均内径としては、特に限定されないが、例えば４ｍｍ以上１００ｍｍ以下が好ましい。また、反応器１４の内部の長さは、特に限定されないが、例えば３０ｍｍ以上１０００ｍｍ以下が好ましい。反応器１４は、このような平均径及び長さに形成されることによって、測定対象物、反応ガス及び凝集用ガスを反応させて、一定以上の粒径の凝集粒子（凝集物）を容易かつ確実に生成することができる。
【００３０】
反応器１４では、測定対象物がガス状水銀である場合、ガス状水銀がオゾンによって酸化させることで化合物として酸化水銀（Ｉ）又は酸化水銀（ＩＩ）のナノ粒子が生成される。一方、反応器１４では、測定対象物がスチビンである場合、スチビンがオゾンによって酸化されることで化合物として酸化アンチモン（Ｓｂ２Ｏ３）のナノ粒子が生成される。また、反応器１４では、オゾンとアンモニアとが反応することで、凝集用粒子として硝酸アンモニウム（ＮＨ４ＮＯ３）が生成される。そして、反応器１４では、この凝集用粒子とナノ粒子（化合物）とが凝集して凝集物が生成され、その後この凝集物（凝集粒子）を含む試料ガスが反応器１４の下流側から排出される。
【００３１】
（ガス置換装置）
ガス置換装置３は、流路１１の下流側に設けられており、具体的には反応器１４の下流側の端部と接続されている。ガス置換装置３は、反応器１４から排出された上記凝集物を含む試料ガスの気体成分を置換ガスに置換する。ガス置換装置３は、多孔性隔壁によって区画される内側流路と外側流路とを有する（図示省略）。この多孔性隔壁は、平均孔径０．００１μｍ以上０．８μｍ以下の多数の孔を有している。
【００３２】
ガス置換装置３は、試料ガスを内側流路に導入するとともに、置換ガスを外側流路に導入可能に構成されている。具体的には、上記置換ガスは、上記内側流路における試料ガスの流動方向の逆方向に流動するよう、外側流路に導入される。その結果、ガス置換装置３の内側流路に導入された試料ガスの気体成分は、多孔性隔壁に形成された複数の孔から外側流路に排出される。一方、試料ガス中の凝集物は、上記気体成分と比較して拡散速度が非常に遅く、また多孔性隔壁によって外側流路への流出が妨げられる。よって、この凝集物と置換ガスとが分析装置４へ導出される。なお、上記置換ガスとしては、分析装置４による分析に適したものである限り特に限定されないが、例えばアルゴンガス（Ａｒ）、窒素ガス（Ｎ２）、ヘリウムガス（Ｈｅ）等が挙げられ、特にアルゴンガスが好適に用いられる。なお、このガス置換装置３としては、特許第４３１５３４８号公報に所載のものを用いることが可能である。
【００３３】
（分析装置）
分析装置４は、ガス置換装置３の下流側に設けられ、ガス置換装置３から排出された凝集物、詳細には凝集物に含まれる測定対象物に関する成分（ガス状水銀についてはＨｇ成分、スチビンについてはＳｂ成分）を分析する。この分析装置４としては、従来公知の分析装置を採用可能である。この分析装置４としては、例えば高周波誘導結合プラズマ発光分光分析装置（ＩＣＰ−ＡＥＳ）を用いることが可能であり、その他、高周波誘導結合プラズマ質量分析装置（ＩＣＰ−ＭＳ）、マイクロ波誘導プラズマ質量分析装置（ＭＩＰ−ＭＳ）、マイクロ波誘導プラズマ発光分光分析装置（ＭＩＰ−ＡＥＳ）等を用いることも可能である。
【００３４】
上記高周波誘導結合プラズマ質量分析装置にあっては、例えば高周波によって置換ガスのアルゴン原子同士の衝突が起こり、高エネルギーのアルゴンプラズマが生成される。そして、凝集粒子に含まれる測定対象物に関する成分は、アルゴンプラズマ内で分解され原子化され、イオン化される。その後、イオン化された測定対象物に関する成分（イオン化された測定対象物の全ての同位体）は、分析装置４内の質量分析器に送られ、その質量数に応じて分析され、その信号強度により上記成分の量が測定される。そして、この成分の量に基づいて、試料ガス中に含まれる測定対象物の濃度等が算出される。
【００３５】
＜ガス状水銀又はスチビンの測定方法＞
次に、図３，４を参照して、当該ガス状水銀又はスチビンの測定方法（以下、単に「測定方法」ともいう）について説明する。当該測定方法は、試料ガス中に含まれるガス状水銀又はスチビンをリアルタイム測定するための測定方法である。当該測定方法は、図１の当該測定装置を用いて行うことができるため、以下では当該測定装置を用いて行う場合について説明する。
【００３６】
当該測定方法は、試料ガスから粒子を除去する工程（除去工程）（ステップＳ０１）と、上記除去工程後における試料ガスへの反応ガスの供給により上記ガス状水銀又はスチビンの固体状化合物を生成する工程（化合物生成工程）（ステップＳ０２）と、上記試料ガスへの凝集用ガスの供給により上記化合物を含有する凝集物を生成する工程（凝集物生成工程）（ステップＳ０３）と、上記凝集物生成工程後における試料ガスの気体成分を置換ガスに置換する工程（置換工程）（ステップＳ０４）と、上記置換工程後に上記凝集物を分析する工程（分析工程）（ステップＳ０５）とを備える。
【００３７】
（除去工程）
ステップＳ０１は、フィルター１を用いて行われる。ステップＳ０１では、試料ガスをフィルター１に通すことで、試料ガス中に含まれる粒子を除去する。
【００３８】
（化合物生成工程）
ステップＳ０２は、凝集物生成装置２によって行われる。ステップＳ０２では、試料ガスに反応ガスを加えることでガス状水銀又はスチビンを固体状のナノ粒子とする。上記反応ガスとしては、オゾンを用いることが好ましい。
【００３９】
ステップＳ０２では、まず試料ガスが流路１１に導入されると、反応ガス供給路１２から流路１１に反応ガスを供給する。そして、ステップＳ０２では、試料ガスがガス状水銀を含む場合、反応器１４内でガス状水銀をオゾンによって酸化することで酸化水銀（Ｉ）又は酸化水銀（ＩＩ）のナノ粒子を生成し、試料ガスがスチビンを含む場合、反応器１４内でスチビンをオゾンによって酸化することで酸化アンチモン（Ｓｂ２Ｏ３）のナノ粒子を生成する。
【００４０】
（凝集物生成工程）
ステップＳ０３は、凝集物生成装置２によって行われる。ステップＳ０３は、図４に示すように、凝集用粒子生成工程（ステップＳ１１）と、凝集工程（ステップＳ１２）とを有する。
【００４１】
（凝集用粒子生成工程）
ステップＳ１１では、凝集用ガス供給路１３から流路１１に凝集用ガスを供給する。ステップＳ１１では、凝集用ガスとして、反応ガスと反応することで凝集用粒子を生成可能なガスを用いる。ステップＳ１１では、この凝集用ガスと反応ガスとを反応させて凝集用粒子を生成させる。上記凝集用ガスとしては、アンモニアが好ましい。当該測定方法は、上記凝集用ガスとして、上記反応ガスと反応することで凝集用粒子を生成可能なガスを用いることによって、反応ガスと凝集用ガスとが反応して生成される凝集用粒子により上記化合物を凝集物に凝集させることができる。そのため、凝集用ガスと反応して凝集用粒子を生成するための他のガス等を用いる必要がなく、比較的簡単な構成でガス状の測定対象物を凝集物とすることができる。
【００４２】
（凝集工程）
ステップＳ１２では、反応器１４内で上記凝集用粒子と上記ナノ粒子とを凝集することで、一定以上の粒径を有する凝集物を生成させる。この凝集物の粒径は、供給する反応ガスや凝集用ガスの濃度や、反応器１４内の流速等によって制御可能である。上記凝集物の平均粒径の下限としては、０．０１μｍが好ましく、０．０５μｍがより好ましい。一方、上記凝集物の平均粒径の上限としては、１０μｍが好ましい。
【００４３】
なお、ステップＳ０２、ステップＳ１１及びステップＳ１２は、通常同時進行で行われる。つまり、反応器１４内においてナノ粒子の生成、凝集粒子の生成及び凝集物の生成が同時進行で行われる。また、ステップＳ０２及びステップＳ１１は、常温で行うことも可能であるが、反応器１４内の加熱、加湿、紫外線照射等により各反応速度を制御することも可能である。
【００４４】
なお、当該製造方法にあっては、上述のように反応ガスとしてオゾンを用い、凝集用ガスとしてアンモニアを用いることが特に好ましい。当該測定方法は、上記反応ガスがオゾンであり、上記凝集用ガスがアンモニアであることによって、ガス状の測定対象物をオゾンによって酸化して固体状化合物とすることができる。また、オゾンとアンモニアとが反応することによって、凝集用粒子を生成することができる。そして、上述のように測定対象物が酸化して形成された化合物と凝集用粒子とが凝集して凝集物が生成されるので、この凝集物を後述の分析工程によって測定することで、測定対象物をより的確に測定することができる。
【００４５】
（置換工程）
ステップＳ０４は、ガス置換装置３によって行われる。ステップＳ０４では、置換ガスとして例えばアルゴンガスを用い、試料ガスの気体成分をこの置換ガスに置換する。
【００４６】
（分析工程）
ステップＳ０５は、分析装置４によって行われる。ステップＳ０５では、上記凝集物に含まれる測定対象物に関する成分（ガス状水銀についてはＨｇ成分、スチビンについてはＳｂ成分）を分析し、この成分の量に基づいて試料ガス中に含まれる測定対象物の濃度、同位体比等を算出する。
【００４７】
＜利点＞
当該測定装置は、試料ガスをフィルター１に通すことでこの試料ガスから粒子を除去することができるので、ガス状の測定対象物のみを容易かつ確実に測定することができる。当該測定装置は、測定対象物の凝集物を生成し、試料ガスの気体成分を置換ガスに置換した後、この凝集物を分析することでリアルタイムに（つまり継時的に）測定対象物を測定することができる。当該測定装置は、測定対象物を吸着剤等に吸着させる必要がないので、上述のように容易かつ確実に測定対象物を測定することができる。
【００４８】
当該測定方法は、上記除去工程によって試料ガスから粒子を除去するので、ガス状の測定対象物のみを容易かつ確実に測定することができる。当該測定方法は、測定対象物の凝集物を生成し、試料ガスの気体成分を置換ガスに置換した後、この凝集物を分析することでリアルタイムに（つまり継時的に）測定対象物を測定することができる。当該測定方法は、測定対象物を吸着剤等に吸着させる必要がないので、測定までの手続及び時間を短くすることができると共に、別途捕集効率等を測定する必要もないので、容易かつ確実に測定対象物を測定することができる。
【００４９】
［第二実施形態］
＜ガス状水銀又はスチビンの測定装置＞
第二実施形態における当該測定装置は、図１の当該測定装置の構成に加え、図１の当該測定装置のフィルター１（以下「粒子除去用フィルター１」ともいう）と交換可能に配設されるガス状水銀及びスチビン吸着用フィルター（以下、単に「吸着用フィルター」ともいう）と、演算装置（図示省略）とを備える。上記吸着用フィルターとしては、例えば粒子除去用フィルター１に活性炭チューブを接続したものを用いることができる。つまり、上記吸着用フィルターは、ガス状水銀及びスチビンを吸着する機能に加え、粒子を除去する機能を有する。
【００５０】
＜ガス状水銀又はスチビンの測定方法＞
第二実施形態における当該測定方法は、図５に示すように、ブランクガス測定工程（ステップＳ２１）と、ガス状水銀又はスチビン測定工程（ステップＳ２２）と、補正工程（ステップＳ２３）とを備える。ステップＳ２３では、例えば後述するように、ガス状水銀又はスチビンに関する成分に由来する信号の補正、ガス状水銀又はスチビンの濃度の決定等を行う。当該測定方法は、例えば第二実施形態における当該測定装置を用いて行うことができる。
【００５１】
（ブランクガス測定工程）
ステップＳ２１は、例えば上記吸着用フィルターを配設した状態で行われる。ステップＳ２１では、例えば上記吸着用フィルターに空気を通すことで、測定対象物を含まないブランクガスを凝集物生成装置２に導入する。そして、ステップＳ２１では、このブランクガスに対して、ステップＳ０２〜ステップＳ０４と同様に反応ガス、凝集用ガス及び置換ガスを供給した後、Ｓ０５と同様の測定を行う。なお、ステップＳ２１は、予め測定対象物を含まないブランクガス（例えば高純度窒素ガス）を用いる場合であれば、必ずしも上記吸着用フィルターを配設した状態で行われる必要はない。
【００５２】
（ガス状水銀又はスチビン測定工程）
ステップＳ２２では、上述のステップＳ０１〜ステップＳ０５と同様の手順で試料ガス中に含まれるガス状水銀又はスチビンを測定する。なお、当該測定方法にあっては、ステップＳ２１及びステップＳ２２の順序は特に限定されるものではなく、ステップＳ２２の後にステップＳ２１を行うことも可能である。また、当該測定方法にあっては、後述のように、ステップＳ２１の後にステップＳ２３を行い、その後にステップＳ２２を行うことも可能である。
【００５３】
（補正工程）
ステップＳ２３は、上記演算装置によって行われる。ステップＳ２３では、ステップＳ２２の測定値をステップＳ２１の測定値に基づいて補正する。ステップＳ２３では、例えばステップＳ２１で得られた信号の平均値をステップＳ２２で得られた信号の平均値から差し引くことで、ステップＳ２２の測定値を補正し、ガス状水銀又はスチビンの濃度の決定を行うことができる。また、ステップＳ２３では、ステップＳ２１で得られた信号を基にガス状水銀又はスチビンの濃度の決定を行った後に、ステップＳ２２で得られた信号を基にガス状水銀又はスチビンの濃度の決定を行い、Ｓ２２で得られた濃度値からＳ２１で得られた濃度値を差し引くことで、ガス状水銀又はスチビンの濃度を得るようにしてもよい。
【００５４】
＜利点＞
当該測定装置は、粒子除去用フィルター１と上記吸着用フィルターとを交換可能に構成されているので、上記吸着用フィルターを用いることで測定対象物を含まないブランクガスを測定することができる。また、当該測定装置は、粒子除去用フィルター１を用いることで測定対象物を測定することができる。そのため、当該測定装置は、上記演算装置を用いて測定対象物の測定値をブランクガスの測定値に基づいて補正することで、測定対象物の測定精度をさらに高めることができる。
【００５５】
当該測定方法は、上記分析工程の測定値を測定対象物を含まないブランクガスの測定値に基づいて補正する補正工程を備えるので、測定対象物の測定精度をさらに高めることができる。
【００５６】
［その他の実施形態］
なお、本発明のガス状水銀又はスチビンの測定方法及び測定装置は、上記態様の他、種々の変更、改良を施した態様で実施することができる。
【００５７】
例えば、上記実施形態においては、凝集用ガスが反応ガスと反応して凝集用粒子を生成するものについて説明したが、本発明はこれに限定されない。
【００５８】
凝集用ガス供給路及び反応ガス供給路の位置関係は特に限定されるものではなく、凝集用ガス供給路が反応ガス供給路よりも上流側で流路に接続されてもよく、凝集用ガス供給路及び反応ガス供給路が試料ガスの流れ方向における同位置において流路と接続されてもよい。
【００５９】
上記凝集用ガスとして、複数のガスを採用し、この複数のガスが凝集用粒子を生成し、上記化合物と凝集するものを採用することも可能である。
【００６０】
反応ガスとしては、測定対象物の化学的性質に基づいて選択することができ、例えば測定対象物と、酸化、還元、中和、加水分解等の化学反応を起こすものが使用可能である。
【００６１】
上記凝集物生成装置は、必ずしも反応器を有していなくてもよく、流路において凝集物を生成することも可能である。
【００６２】
また、当該測定装置は、ポンプを設けることは必ずしも必要ではない。当該測定装置は、例えばガス置換装置の下流側等にアスピレータを有する構成を採用することも可能である。なお、このアスピレータには、ガス置換装置に接続される置換ガス供給装置とは別に置換ガス供給装置が接続される。
【実施例】
【００６３】
以下、実施例に基づき本発明を詳述するが、この実施例の記載に基づいて本発明が限定的に解釈されるものではない。
【００６４】
［実施例１］
上述の第一実施形態の測定装置を用い、大気中におけるスチビンを測定し、アンチモンの同位体毎の濃度を測定した。反応ガスとしてオゾンガス、凝集用ガスとしてアンモニアガスを用い、オゾンガスの導入量とアンモニアガスの導入量とはいずれも試料ガス２００ｍｌ／分に対して２５ｍｌ／分とした。ガス置換装置としては（（株）ジェイ・サイエンス・ラボ製の気体試料導入装置ＧＥ−Ａ２１型）を使用した。置換ガスとしてアルゴンガスを用い、アルゴンガスの導入量は２５００ｍｌ／分とした。分析装置としては高周波誘導結合プラズマ質量分析装置（サーモフィッシャーサイエンティフィック社製のＸシリーズ２型）を使用した。この実施例における測定結果を図６，７に示す（質量数１２１のアンチモンの濃度を図６に、質量数１２３のアンチモンの濃度を図７に示す）。
【００６５】
［実施例２］
実施例１と同様の測定装置を用い、水銀を含まないブランクガス（高純度窒素ガス）について２００秒連続して測定した。続いて、このブランクガスの測定に連続して、大気中におけるガス状水銀濃度を４００秒連続して測定した（つまり、前半２００秒は水銀を含まないブランクガスについて測定し、２００秒以降は試料ガス中に含まれるガス状水銀を測定した）。この実施例２における測定結果を図８に示す。
【００６６】
＜評価結果＞
実施例１では、スチビンに含まれるアンチモン（Ｓｂ）は凝集物生成装置によって凝集物となり、これにより次のガス置換装置で殆ど除去されることなく分析装置に導入されていると考えられる。これにより、実施例１では、アルゴンプラズマによってイオン化されたＳｂが質量分析計で計測されることでＳｂの同位体毎の信号が得られ、その信号強度からＳｂの同位体毎の濃度が得られている。
【００６７】
また、実施例２では、ガス状水銀の濃度が実施例１と同様に得られていることが分かる。さらに、実施例２では、ブランクガスについても水銀濃度が一定程度測定されている。これは、オゾン発生装置（反応ガス供給装置）に由来するごく微量のガス状水銀による汚染、アンモニアガス中にごく微量に存在するガス状水銀等のためと考えられる。このことから、当該測定装置にあっては、得られたガス状水銀の濃度をブランクガスで測定された濃度に基づいて補正することでさらに正確な濃度が得られることが分かる。
【産業上の利用可能性】
【００６８】
以上のように、本発明のガス状水銀又はスチビンの測定方法は、ガス状水銀又はスチビンをリアルタイムで容易かつ確実に測定することができるので、空気中に存在するガス状水銀又はスチビンの継時的測定に適している。
【符号の説明】
【００６９】
１  フィルター
２  凝集物生成装置
３  ガス置換装置
４  分析装置
５  ポンプ
１１  流路
１２  反応ガス供給路
１３  凝集用ガス供給路
１４  反応器
１５  反応ガス供給装置
１６ａ，１６ｂ  流量計
１７  凝集用ガス供給装置
【図１】
0006682088.tif 000002
【図２】
0006682088.tif 000003
【図３】
0006682088.tif 000004
【図４】
0006682088.tif 000005
【図５】
0006682088.tif 000006
【図６】
0006682088.tif 000007
【図７】
0006682088.tif 000008
【図８】
0006682088.tif 000009